(57)【要約】【課題】ユーザが、印刷出力を所望する印刷装置を簡易な操作で選定できる印刷装置、情報処理装置、印刷システム、制御方法、及びプログラムを提供する。【解決手段】ユーザは、モバイル端末１０１の表示出力部２０７に表示された捜索範囲指定画面から捜索範囲とするフロアーを選定した後、表示出力部２０７に表示された方角指定画面５００に対して、検索をしたい複合機１０２の方向へ、フリック操作を行うと、その選択したフロアーにおける操作方向に位置する複合機１０２に関する情報をサーバ１０３から取得して、表示出力部２０７に表示された検索結果画面７００に表示する。【選択図】図６
2015210798.tif 000002
【特許請求の範囲】
【請求項１】
印刷装置を検索する情報処理装置と、印刷出力を行う印刷装置と、前記印刷装置に関する情報を記憶管理するサーバと、がネットワークを介して接続された印刷システムであって、
前記情報処理装置は、
操作方向を指示入力するための指示入力手段と、
前記指示入力手段によって入力された操作方向に位置する印刷装置に関する情報を前記サーバへ要求する要求手段と、
前記サーバの送信手段によって送信された印刷装置に関する情報を受信する受信手段と、
前記受信手段によって受信した印刷装置に関する情報を表示部へ表示する表示手段と、
前記表示部に表示された印刷装置に関する情報から、印刷指示を行う印刷装置を選択する選択手段と、
前記選択手段によって選択された印刷装置に対して印刷指示を行う指示手段と、
を備え、
前記サーバは、
前記印刷装置に関する位置情報を記憶する印刷装置位置情報記憶手段と、
前記要求手段によって要求された操作方向に位置する印刷装置に関する情報を前記印刷装置位置情報記憶手段から取得する取得手段と、
前記取得手段によって取得した印刷装置に関する情報の要求を行った前記情報処理装置へ送信する送信手段と、
を備え、
前記印刷装置は、
前記指示手段によって指示された印刷を実行する実行手段、
を備えたことを特徴とする印刷システム。
【請求項２】
前記情報処理装置は、
既に印刷可能なように印刷設定がなされた印刷装置に関する情報を記憶する設定情報記憶手段を備え、
前記表示手段は、前記設定情報記憶手段に記憶された印刷設定がなされた印刷装置に関する情報から、印刷設定がなされた印刷装置と、印刷装置がなされていない印刷装置と、を識別して表示部へ表示することを特徴とする請求項１に記載の印刷システム。
【請求項３】
前記情報処理装置は、
前記選択手段によって選択された前記表示部に表示された印刷設定がなされていない印刷装置の印刷設定を前記情報処理装置に対して行う設定手段を備えたことを特徴とする請求項２に記載の印刷システム。
【請求項４】
複数の印刷出力を行う印刷装置と、各印刷装置に関する情報を記憶管理するサーバと、がネットワークを介して接続された印刷システムであって、
前記印刷装置は、
操作方向を指示入力するための指示入力手段と、
前記指示入力手段によって入力された操作方向に位置する他の印刷装置に関する情報を前記サーバへ要求する要求手段と、
前記サーバの送信手段によって送信された他の印刷装置に関する情報を受信する受信手段と、
前記受信手段によって受信した他の印刷装置に関する情報を表示部へ表示する表示手段と、
前記表示部に表示された他の印刷装置に関する情報から、印刷指示を行う他の印刷装置を選択する選択手段と、
前記選択手段によって選択された他の印刷装置に対して印刷指示を行う指示手段と、
を備え、
前記サーバは、
前記他の印刷装置に関する位置情報を記憶する印刷装置位置情報記憶手段と、
前記要求手段によって要求された操作方向に位置する他の印刷装置に関する情報を前記印刷装置位置情報記憶手段から取得する取得手段と、
前記取得手段によって取得した他の印刷装置に関する情報の要求を行った前記印刷装置へ送信する送信手段と、
前記他の印刷装置は、
前記指示手段によって指示された印刷を実行する実行手段、
を備えたことを特徴とする印刷システム。
【請求項５】
印刷出力を行う印刷装置と、前記印刷装置に関する位置情報を記憶管理するサーバと、ネットワークを介して接続された印刷装置を検索する情報処理装置であって、
前記情報処理装置は、
操作方向を指示入力するための指示入力手段と、
前記指示入力手段によって入力された操作方向に位置する印刷装置に関する情報を前記サーバへ要求する要求手段と、
前記要求手段によって要求した印刷装置に関する情報を前記サーバから受信する受信手段と、
前記受信手段によって受信した印刷装置に関する情報を表示部へ表示する表示手段と、
前記表示部に表示された印刷装置に関する情報から、印刷指示を行う印刷装置を選択する選択手段と、
前記選択手段によって選択された印刷装置に対して印刷指示を行う指示手段と、
を備えたことを特徴とする情報処理装置。
【請求項６】
他の印刷出力を行うための印刷装置と、前記他の印刷装置に関する位置情報を記憶管理するサーバと、ネットワークを介して接続された印刷装置であって、
前記印刷装置は、
操作方向を指示入力するための指示入力手段と、
前記指示入力手段によって入力された操作方向に位置する他の印刷装置に関する情報を前記サーバへ要求する要求手段と、
前記要求手段によって要求した他の印刷装置に関する情報を前記サーバから受信する受信手段と、
前記受信手段によって受信した他の印刷装置に関する情報を表示部へ表示する表示手段と、
前記表示部に表示された他の印刷装置に関する情報から、印刷指示を行う他の印刷装置を選択する選択手段と、
前記選択手段によって選択された他の印刷装置に対して印刷指示を行う指示手段と、
を備えたことを特徴とする印刷装置。
【請求項７】
印刷装置を検索する情報処理装置と、印刷出力を行う印刷装置と、前記印刷装置に関する情報を記憶管理するサーバと、がネットワークを介して接続された印刷システムの制御方法であって、
前記情報処理装置は、
操作方向を指示入力するための指示入力ステップと、
前記指示入力ステップによって入力された操作方向に位置する印刷装置に関する情報を前記サーバへ要求する要求ステップと、
前記サーバの送信ステップによって送信された印刷装置に関する情報を受信する受信ステップと、
前記受信ステップによって受信した印刷装置に関する情報を表示部へ表示する表示ステップと、
前記表示部に表示された印刷装置に関する情報から、印刷指示を行う印刷装置を選択する選択ステップと、
前記選択ステップによって選択された印刷装置に対して印刷指示を行う指示ステップと、
を実行し、
前記サーバは、
前記要求ステップによって要求された操作方向に位置する印刷装置に関する情報を前記印刷装置に関する位置情報を記憶する印刷装置位置情報記憶手段から取得する取得ステップと、
前記取得ステップによって取得した印刷装置に関する情報の要求を行った前記情報処理装置へ送信する送信ステップと、
を実行し、
前記印刷装置は、
前記指示ステップによって指示された印刷を実行する実行ステップ、
を実行することを特徴とする印刷システムの制御方法。
【請求項８】
印刷装置を検索する情報処理装置と、印刷出力を行う印刷装置と、前記印刷装置に関する情報を記憶管理するサーバと、がネットワークを介して接続された印刷システムで読取り実行可能なプログラムあって、
前記情報処理装置を、
操作方向を指示入力するための指示入力手段と、
前記指示入力手段によって入力された操作方向に位置する印刷装置に関する情報を前記サーバへ要求する要求手段と、
前記サーバの送信手段によって送信された印刷装置に関する情報を受信する受信手段と、
前記受信手段によって受信した印刷装置に関する情報を表示部へ表示する表示手段と、
前記表示部に表示された印刷装置に関する情報から、印刷指示を行う印刷装置を選択する選択手段と、
前記選択手段によって選択された印刷装置に対して印刷指示を行う指示手段と、
して機能させ、
前記サーバを、
前記要求手段によって要求された操作方向に位置する印刷装置に関する情報を前記印刷装置に関する位置情報を記憶する印刷装置位置情報記憶手段から取得する取得手段と、
前記取得手段によって取得した印刷装置に関する情報の要求を行った前記情報処理装置へ送信する送信手段と、
して機能させ、
前記印刷装置を、
前記指示手段によって指示された印刷を実行する実行手段、
として機能させることを特徴とするプログラム。
【請求項９】
複数の印刷出力を行う印刷装置と、各印刷装置に関する情報を記憶管理するサーバと、がネットワークを介して接続された印刷システムの制御方法であって、
前記印刷装置は、
操作方向を指示入力するための指示入力ステップと、
前記指示入力ステップによって入力された操作方向に位置する他の印刷装置に関する情報を前記サーバへ要求する要求ステップと、
前記サーバの送信ステップによって送信された他の印刷装置に関する情報を受信する受信ステップと、
前記受信ステップによって受信した他の印刷装置に関する情報を表示部へ表示する表示ステップと、
前記表示部に表示された他の印刷装置に関する情報から、印刷指示を行う他の印刷装置を選択する選択ステップと、
前記選択ステップによって選択された他の印刷装置に対して印刷指示を行う指示ステップと、
を実行し、
前記サーバは、
前記要求ステップによって要求された操作方向に位置する他の印刷装置に関する情報を前記他の印刷装置に関する位置情報を記憶する印刷装置位置情報記憶手段から取得する取得ステップと、
前記取得ステップによって取得した他の印刷装置に関する情報の要求を行った前記印刷装置へ送信する送信ステップと、
前記他の印刷装置は、
前記指示ステップによって指示された印刷を実行する実行ステップ、
を実行することを特徴とする印刷システムの制御方法。
【請求項１０】
複数の印刷出力を行う印刷装置と、各印刷装置に関する情報を記憶管理するサーバと、がネットワークを介して接続された印刷システムで読取実行可能なプログラムあって、
前記印刷装置を、
操作方向を指示入力するための指示入力手段と、
前記指示入力手段によって入力された操作方向に位置する他の印刷装置に関する情報を前記サーバへ要求する要求手段と、
前記サーバの送信手段によって送信された他の印刷装置に関する情報を受信する受信手段と、
前記受信手段によって受信した他の印刷装置に関する情報を表示部へ表示する表示手段と、
前記表示部に表示された他の印刷装置に関する情報から、印刷指示を行う他の印刷装置を選択する選択手段と、
前記選択手段によって選択された他の印刷装置に対して印刷指示を行う指示手段と、
して機能させ、
前記サーバを、
前記要求手段によって要求された操作方向に位置する他の印刷装置に関する情報を前記他の印刷装置に関する位置情報を記憶する印刷装置位置情報記憶手段から取得する取得手段と、
前記取得手段によって取得した他の印刷装置に関する情報の要求を行った前記印刷装置へ送信する送信手段と、
して機能させ、
前記他の印刷装置を、
前記指示手段によって指示された印刷を実行する実行手段、
として機能させるたことを特徴とするプログラム。
【請求項１１】
印刷出力を行う印刷装置と、前記印刷装置に関する位置情報を記憶管理するサーバと、ネットワークを介して接続された印刷装置を検索する情報処理装置の制御方法であって、
前記情報処理装置は、
操作方向を指示入力するための指示入力ステップと、
前記指示入力ステップによって入力された操作方向に位置する印刷装置に関する情報を前記サーバへ要求する要求ステップと、
前記要求ステップによって要求した印刷装置に関する情報を前記サーバから受信する受信ステップと、
前記受信ステップによって受信した印刷装置に関する情報を表示部へ表示する表示ステップと、
前記表示部に表示された印刷装置に関する情報から、印刷指示を行う印刷装置を選択する選択ステップと、
前記選択ステップによって選択された印刷装置に対して印刷指示を行う指示ステップと、
を実行することを特徴とする情報処理装置の制御方法。
【請求項１２】
印刷出力を行う印刷装置と、前記印刷装置に関する位置情報を記憶管理するサーバと、ネットワークを介して接続された印刷装置を検索する情報処理装置で読取実行可能なプログラムあって、
前記情報処理装置を、
操作方向を指示入力するための指示入力手段と、
前記指示入力手段によって入力された操作方向に位置する印刷装置に関する情報を前記サーバへ要求する要求手段と、
前記要求手段によって要求した印刷装置に関する情報を前記サーバから受信する受信手段と、
前記受信手段によって受信した印刷装置に関する情報を表示部へ表示する表示手段と、
前記表示部に表示された印刷装置に関する情報から、印刷指示を行う印刷装置を選択する選択手段と、
前記選択手段によって選択された印刷装置に対して印刷指示を行う指示手段と、
して機能させることを特徴とするプログラム。
【請求項１３】
他の印刷出力を行うための印刷装置と、前記他の印刷装置に関する位置情報を記憶管理するサーバと、ネットワークを介して接続された印刷装置の制御方法であって、
前記印刷装置は、
操作方向を指示入力するための指示入力ステップと、
前記指示入力ステップによって入力された操作方向に位置する他の印刷装置に関する情報を前記サーバへ要求する要求ステップと、
前記要求ステップによって要求した他の印刷装置に関する情報を前記サーバから受信する受信ステップと、
前記受信ステップによって受信した他の印刷装置に関する情報を表示部へ表示する表示ステップと、
前記表示部に表示された他の印刷装置に関する情報から、印刷指示を行う他の印刷装置を選択する選択ステップと、
前記選択ステップによって選択された他の印刷装置に対して印刷指示を行う指示ステップと、
実行することを特徴とする印刷装置の制御方法。
【請求項１４】
他の印刷出力を行うための印刷装置と、前記他の印刷装置に関する位置情報を記憶管理するサーバと、ネットワークを介して接続された印刷装置で読取実行可能なプログラムあって、
前記印刷装置を、
操作方向を指示入力するための指示入力手段と、
前記指示入力手段によって入力された操作方向に位置する他の印刷装置に関する情報を前記サーバへ要求する要求手段と、
前記要求手段によって要求した他の印刷装置に関する情報を前記サーバから受信する受信手段と、
前記受信手段によって受信した他の印刷装置に関する情報を表示部へ表示する表示手段と、
前記表示部に表示された他の印刷装置に関する情報から、印刷指示を行う他の印刷装置を選択する選択手段と、
前記選択手段によって選択された他の印刷装置に対して印刷指示を行う指示手段と、
して機能させることを特徴とするプログラム。
【発明の詳細な説明】
【技術分野】
【０００１】
本発明は、印刷出力先とする印刷装置を選定するための技術に関し、特に、簡易な選定方法で印刷装置を選定する技術に関する。
【背景技術】
【０００２】
近年、印刷装置の機能が複雑化するに伴い、印刷を行うに当たり、ユーザへの印刷設定の作業が煩わしいという問題が生じている。
【０００３】
このような問題に対して、極力、ユーザへの作業負荷を軽減するために、ユーザが、印刷装置の操作パネルに対して、自身の指でジェスチャを指示入力すると、そのジェスチャの種類によって、印刷装置の操作の項目を特定することが可能な技術が開示されている（例えば、特許文献１）。
【先行技術文献】
【特許文献】
【０００４】
【特許文献１】特開２０１３−２３２０４７号公報
【発明の概要】
【発明が解決しようとする課題】
【０００５】
しかしながら、特許文献１に記載の技術では、ジェスチャの種類によって、操作の項目を特定することで、簡易な操作で印刷装置を動作させることが可能であるが、あくまでも、ユーザは、どの印刷装置を用いて印刷出力を行うのかが決定された状態で、使用することが前提であるため、これから使用したい印刷装置を選定する手段についてまでは、記載や示唆はない。
【０００６】
例えば、ユーザは、フロアー内に複数の印刷装置が設置されているような場合、凡そ、印刷出力を所望する印刷装置を決めて印刷指示を行うものの、印刷指示を行うためのＰＣや携帯端末等の情報処理装置の表示部に表示された内容からでは、フロアー内における印刷装置の位置を特定することが難しく、印刷出力を行うことに難色を示す。
【０００７】
特に、普段利用していないフロアー内において印刷出力を行う場合は、このような状況が顕著に現れ、印刷出力に伴うユーザの作業負担が高じることは否めない。
【０００８】
また、印刷装置で文書をスキャンして得られたデータを、ネットワークで接続された印刷装置へ送信することで、送信先の印刷装置で当該データを印刷出力するという、所謂、重連印刷を行う場合も、送信元の印刷装置からでは、送信先の候補となる印刷装置が複数存在した場合、印刷出力を所望する印刷装置の位置が、送信元の印刷装置の表示部からでは特定し難いため、同様に、ユーザが印刷出力を行うことに難色を示す。
【０００９】
そこで、本願発明では、ユーザが、印刷出力を所望する印刷装置を簡易な操作で選定できる印刷装置、情報処理装置、印刷システム、制御方法、及びプログラムを提供することを目的とする。
【課題を解決するための手段】
【００１０】
上記課題を解決するための第１の発明は、印刷装置を検索する情報処理装置と、印刷出力を行う印刷装置と、前記印刷装置に関する情報を記憶管理するサーバと、がネットワークを介して接続された印刷システムであって、前記情報処理装置は、操作方向を指示入力するための指示入力手段と、前記指示入力手段によって入力された操作方向に位置する印刷装置に関する情報を前記サーバへ要求する要求手段と、前記サーバの送信手段によって送信された印刷装置に関する情報を受信する受信手段と、前記受信手段によって受信した印刷装置に関する情報を表示部へ表示する表示手段と、前記表示部に表示された印刷装置に関する情報から、印刷指示を行う印刷装置を選択する選択手段と、前記選択手段によって選択された印刷装置に対して印刷指示を行う指示手段と、を備え、前記サーバは、前記印刷装置に関する位置情報を記憶する印刷装置位置情報記憶手段と、前記要求手段によって要求された操作方向に位置する印刷装置に関する情報を前記印刷装置位置情報記憶手段から取得する取得手段と、前記取得手段によって取得した印刷装置に関する情報の要求を行った前記情報処理装置へ送信する送信手段と、を備え、前記印刷装置は、前記指示手段によって指示された印刷を実行する実行手段、を備えたことを特徴とする印刷システムである。
【００１１】
上記課題を解決するための第２の発明は、複数の印刷出力を行う印刷装置と、各印刷装置に関する情報を記憶管理するサーバと、がネットワークを介して接続された印刷システムであって、前記印刷装置は、操作方向を指示入力するための指示入力手段と、前記指示入力手段によって入力された操作方向に位置する他の印刷装置に関する情報を前記サーバへ要求する要求手段と、前記サーバの送信手段によって送信された他の印刷装置に関する情報を受信する受信手段と、前記受信手段によって受信した他の印刷装置に関する情報を表示部へ表示する表示手段と、前記表示部に表示された他の印刷装置に関する情報から、印刷指示を行う他の印刷装置を選択する選択手段と、前記選択手段によって選択された他の印刷装置に対して印刷指示を行う指示手段と、を備え、前記サーバは、前記他の印刷装置に関する位置情報を記憶する印刷装置位置情報記憶手段と、前記要求手段によって要求された操作方向に位置する他の印刷装置に関する情報を前記印刷装置位置情報記憶手段から取得する取得手段と、前記取得手段によって取得した他の印刷装置に関する情報の要求を行った前記印刷装置へ送信する送信手段と、前記他の印刷装置は、前記指示手段によって指示された印刷を実行する実行手段、を備えたことを特徴とする印刷システムである。
【００１２】
上記課題を解決するための第３の発明は、印刷出力を行う印刷装置と、前記印刷装置に関する位置情報を記憶管理するサーバと、ネットワークを介して接続された印刷装置を検索する情報処理装置であって、前記情報処理装置は、操作方向を指示入力するための指示入力手段と、前記指示入力手段によって入力された操作方向に位置する印刷装置に関する情報を前記サーバへ要求する要求手段と、前記要求手段によって要求した印刷装置に関する情報を前記サーバから受信する受信手段と、前記受信手段によって受信した印刷装置に関する情報を表示部へ表示する表示手段と、前記表示部に表示された印刷装置に関する情報から、印刷指示を行う印刷装置を選択する選択手段と、前記選択手段によって選択された印刷装置に対して印刷指示を行う指示手段と、を備えたことを特徴とする情報処理装置である。
【００１３】
上記課題を解決するための第４の発明は、他の印刷出力を行うための印刷装置と、前記他の印刷装置に関する位置情報を記憶管理するサーバと、ネットワークを介して接続された印刷装置であって、前記印刷装置は、操作方向を指示入力するための指示入力手段と、前記指示入力手段によって入力された操作方向に位置する他の印刷装置に関する情報を前記サーバへ要求する要求手段と、前記要求手段によって要求した他の印刷装置に関する情報を前記サーバから受信する受信手段と、前記受信手段によって受信した他の印刷装置に関する情報を表示部へ表示する表示手段と、前記表示部に表示された他の印刷装置に関する情報から、印刷指示を行う他の印刷装置を選択する選択手段と、前記選択手段によって選択された他の印刷装置に対して印刷指示を行う指示手段と、を備えたことを特徴とする印刷装置である。
【００１４】
上記課題を解決するための第５の発明は、印刷装置を検索する情報処理装置と、印刷出力を行う印刷装置と、前記印刷装置に関する情報を記憶管理するサーバと、がネットワークを介して接続された印刷システムの制御方法であって、前記情報処理装置は、操作方向を指示入力するための指示入力ステップと、前記指示入力ステップによって入力された操作方向に位置する印刷装置に関する情報を前記サーバへ要求する要求ステップと、前記サーバの送信ステップによって送信された印刷装置に関する情報を受信する受信ステップと、前記受信ステップによって受信した印刷装置に関する情報を表示部へ表示する表示ステップと、前記表示部に表示された印刷装置に関する情報から、印刷指示を行う印刷装置を選択する選択ステップと、前記選択ステップによって選択された印刷装置に対して印刷指示を行う指示ステップと、を実行し、前記サーバは、前記要求ステップによって要求された操作方向に位置する印刷装置に関する情報を前記印刷装置に関する位置情報を記憶する印刷装置位置情報記憶手段から取得する取得ステップと、前記取得ステップによって取得した印刷装置に関する情報の要求を行った前記情報処理装置へ送信する送信ステップと、を実行し、前記印刷装置は、前記指示ステップによって指示された印刷を実行する実行ステップ、を実行することを特徴とする印刷システムの制御方法である。
【００１５】
上記課題を解決するための第６の発明は、印刷装置を検索する情報処理装置と、印刷出力を行う印刷装置と、前記印刷装置に関する情報を記憶管理するサーバと、がネットワークを介して接続された印刷システムで読取り実行可能なプログラムあって、前記情報処理装置を、操作方向を指示入力するための指示入力手段と、前記指示入力手段によって入力された操作方向に位置する印刷装置に関する情報を前記サーバへ要求する要求手段と、前記サーバの送信手段によって送信された印刷装置に関する情報を受信する受信手段と、前記受信手段によって受信した印刷装置に関する情報を表示部へ表示する表示手段と、前記表示部に表示された印刷装置に関する情報から、印刷指示を行う印刷装置を選択する選択手段と、前記選択手段によって選択された印刷装置に対して印刷指示を行う指示手段と、して機能させ、前記サーバを、前記要求手段によって要求された操作方向に位置する印刷装置に関する情報を前記印刷装置に関する位置情報を記憶する印刷装置位置情報記憶手段から取得する取得手段と、前記取得手段によって取得した印刷装置に関する情報の要求を行った前記情報処理装置へ送信する送信手段と、して機能させ、前記印刷装置を、前記指示手段によって指示された印刷を実行する実行手段、として機能させることを特徴とするプログラムである。
【００１６】
上記課題を解決するための第７の発明は、複数の印刷出力を行う印刷装置と、各印刷装置に関する情報を記憶管理するサーバと、がネットワークを介して接続された印刷システムの制御方法であって、前記印刷装置は、操作方向を指示入力するための指示入力ステップと、前記指示入力ステップによって入力された操作方向に位置する他の印刷装置に関する情報を前記サーバへ要求する要求ステップと、前記サーバの送信ステップによって送信された他の印刷装置に関する情報を受信する受信ステップと、前記受信ステップによって受信した他の印刷装置に関する情報を表示部へ表示する表示ステップと、前記表示部に表示された他の印刷装置に関する情報から、印刷指示を行う他の印刷装置を選択する選択ステップと、前記選択ステップによって選択された他の印刷装置に対して印刷指示を行う指示ステップと、を実行し、前記サーバは、前記要求ステップによって要求された操作方向に位置する他の印刷装置に関する情報を前記他の印刷装置に関する位置情報を記憶する印刷装置位置情報記憶手段から取得する取得ステップと、前記取得ステップによって取得した他の印刷装置に関する情報の要求を行った前記印刷装置へ送信する送信ステップと、前記他の印刷装置は、前記指示ステップによって指示された印刷を実行する実行ステップ、を実行することを特徴とする印刷システムの制御方法である。
【００１７】
上記課題を解決するための第８の発明は、複数の印刷出力を行う印刷装置と、各印刷装置に関する情報を記憶管理するサーバと、がネットワークを介して接続された印刷システムで読取実行可能なプログラムあって、前記印刷装置を、操作方向を指示入力するための指示入力手段と、前記指示入力手段によって入力された操作方向に位置する他の印刷装置に関する情報を前記サーバへ要求する要求手段と、前記サーバの送信手段によって送信された他の印刷装置に関する情報を受信する受信手段と、前記受信手段によって受信した他の印刷装置に関する情報を表示部へ表示する表示手段と、前記表示部に表示された他の印刷装置に関する情報から、印刷指示を行う他の印刷装置を選択する選択手段と、前記選択手段によって選択された他の印刷装置に対して印刷指示を行う指示手段と、して機能させ、前記サーバを、前記要求手段によって要求された操作方向に位置する他の印刷装置に関する情報を前記他の印刷装置に関する位置情報を記憶する印刷装置位置情報記憶手段から取得する取得手段と、前記取得手段によって取得した他の印刷装置に関する情報の要求を行った前記印刷装置へ送信する送信手段と、して機能させ、前記他の印刷装置を、前記指示手段によって指示された印刷を実行する実行手段、として機能させるたことを特徴とするプログラムである。
【００１８】
上記課題を解決するための第９の発明は、印刷出力を行う印刷装置と、前記印刷装置に関する位置情報を記憶管理するサーバと、ネットワークを介して接続された印刷装置を検索する情報処理装置の制御方法であって、前記情報処理装置は、操作方向を指示入力するための指示入力ステップと、前記指示入力ステップによって入力された操作方向に位置する印刷装置に関する情報を前記サーバへ要求する要求ステップと、前記要求ステップによって要求した印刷装置に関する情報を前記サーバから受信する受信ステップと、前記受信ステップによって受信した印刷装置に関する情報を表示部へ表示する表示ステップと、前記表示部に表示された印刷装置に関する情報から、印刷指示を行う印刷装置を選択する選択ステップと、前記選択ステップによって選択された印刷装置に対して印刷指示を行う指示ステップとを実行することを特徴とする情報処理装置の制御方法である。
【００１９】
上記課題を解決するための第１０の発明は、印刷出力を行う印刷装置と、前記印刷装置に関する位置情報を記憶管理するサーバと、ネットワークを介して接続された印刷装置を検索する情報処理装置で読取実行可能なプログラムあって、前記情報処理装置を、操作方向を指示入力するための指示入力手段と、前記指示入力手段によって入力された操作方向に位置する印刷装置に関する情報を前記サーバへ要求する要求手段と、前記要求手段によって要求した印刷装置に関する情報を前記サーバから受信する受信手段と、前記受信手段によって受信した印刷装置に関する情報を表示部へ表示する表示手段と、前記表示部に表示された印刷装置に関する情報から、印刷指示を行う印刷装置を選択する選択手段と、前記選択手段によって選択された印刷装置に対して印刷指示を行う指示手段と、して機能させることを特徴とするプログラムである。
【００２０】
上記課題を解決するための第１１の発明は、他の印刷出力を行うための印刷装置と、前記他の印刷装置に関する位置情報を記憶管理するサーバと、ネットワークを介して接続された印刷装置の制御方法であって、前記印刷装置は、操作方向を指示入力するための指示入力ステップと、前記指示入力ステップによって入力された操作方向に位置する他の印刷装置に関する情報を前記サーバへ要求する要求ステップと、前記要求ステップによって要求した他の印刷装置に関する情報を前記サーバから受信する受信ステップと、前記受信ステップによって受信した他の印刷装置に関する情報を表示部へ表示する表示ステップと、前記表示部に表示された他の印刷装置に関する情報から、印刷指示を行う他の印刷装置を選択する選択ステップと、前記選択ステップによって選択された他の印刷装置に対して印刷指示を行う指示ステップと、実行することを特徴とする印刷装置の制御方法である。
【００２１】
上記課題を解決するための第１２の発明は、他の印刷出力を行うための印刷装置と、前記他の印刷装置に関する位置情報を記憶管理するサーバと、ネットワークを介して接続された印刷装置で読取実行可能なプログラムあって、前記印刷装置を、操作方向を指示入力するための指示入力手段と、前記指示入力手段によって入力された操作方向に位置する他の印刷装置に関する情報を前記サーバへ要求する要求手段と、前記要求手段によって要求した他の印刷装置に関する情報を前記サーバから受信する受信手段と、前記受信手段によって受信した他の印刷装置に関する情報を表示部へ表示する表示手段と、前記表示部に表示された他の印刷装置に関する情報から、印刷指示を行う他の印刷装置を選択する選択手段と、前記選択手段によって選択された他の印刷装置に対して印刷指示を行う指示手段と、して機能させることを特徴とするプログラムである。
【発明の効果】
【００２２】
本発明によれば、ユーザに対して、印刷指示を行う機器の表示部に対する操作方向に設置された印刷装置を表示して選択させることで、ユーザが、印刷出力を所望する印刷装置を簡易な操作で選定できるので、ユーザの印刷出力にかかる作業負担を軽減することが可能となる、という効果をそうする。
【図面の簡単な説明】
【００２３】
【図１】本発明の実施形態において、フロアーに設定された複合機の配置を説明するための説明図である。
【図２】本発明の実施形態に係る印刷システムの概略構成を示す構成図である。
【図３】本発明の実施形態に係るモバイル端末のハードウェア構成を示す構成図である。
【図４】本発明の実施形態に係る複合機のハードウェア構成を示す構成図である。
【図５】本発明の実施形態に係るＰＣ端末、サーバのハードウェア構成を示す構成図である。
【図６】本発明の実施形態に係る印刷システムにおけるフロアーに配置された複合機を検索する処理の流れの一例を示すフローチャートである。
【図７】本発明の実施形態に係るモバイル端末で起動する捜索範囲指定アプリケーションが起動された状態を示す図である。
【図８】本発明の実施形態に係る捜索範囲指定画面の構成を示す構成図である。
【図９】本発明の実施形態に係る方角指定画面の構成を示す構成図である。
【図１０】本発明の実施形態に係る検索結果画面の構成を示す構成図である。
【図１１】本発明の実施形態に係る方角指定画面の構成を示す構成図である。
【図１２】本発明の実施形態に係る方角指定画面の構成を示す構成図である。
【図１３】本発明の実施形態に係る印刷システムにおいて実行される処理で用いるデータに関する情報を示す構成図である。
【図１４】本発明の実施形態に係る設定画面の構成を示す構成図である。
【図１５】本発明の実施形態に係る印刷システムにおけるフロアーに配置された複合機を検索する処理の流れの一例を示すフローチャートである。
【図１６】本発明の実施形態に係る複合機の操作部の構成を示す構成図である。
【図１７】本発明の実施形態に係る複合機のメニュー画面の構成を示す構成図である。
【図１８】本発明に実施形態に係る複合機のその他の機能選択画面の構成を示す構成図である。
【図１９】本発明の実施形態に係る捜索範囲指定画面の構成を示す構成図である。
【図２０】本発明の実施形態に係る方角指定画面の構成を示す構成図である。
【図２１】本発明の実施形態に係る検索結果画面の構成を示す構成図である。
【図２２】本発明の実施形態に係る検索結果画面の構成を示す構成図である。
【図２３】本発明の実施形態に係る検索結果画面の構成を示す構成図である。
【図２４】本発明の実施形態に係る設定中画面の構成を示す構成図である。
【図２５】本発明の実施形態に係る検索結果画面の構成を示す構成図である。
【図２６】本発明の実施形態に係る方角指定画面の構成を示す構成図である。
【図２７】本発明の実施形態に係る方角指定画面の構成を示す構成図である。
【図２８】本発明の実施形態に係る設定画面の構成を示す構成図である。
【発明を実施するための形態】
【００２４】
以下、図面を参照して、本発明の実施形態を詳細に説明する。
以下、図面を参照しながら本発明に関する実施形態に関して説明を行う。
【００２５】
図１には、フロアーにおける複合機の配置が示されている。本発明は、これらの複合機に関する情報を検索するものであるが、１つのフロアーに留まらず、上階、下階のフロアーに関しても検索対象とすることが可能である。
【００２６】
各フロアーに関しては、少なくとも１以上の複合機が配置されていることが望ましいが、配置されていないフロアーが存在しても、検索した結果、複合機に関する情報が得られないことにはなり得るが、そのようなフロアーに対しても検索対象としている。
【００２７】
図１に例示されたフロアーにおいては、中央付近に、複合機を利用する従業員などのユーザが作業等を行うための机や椅子が配置されており、複合機がそれぞれ、フロアーの中心位置に対して、北西側に３台、北東側に２台、東側に１台、南東側に１台、南西側に１台配置されている。
【００２８】
このように配置された複合機に対して、ユーザは、自身が所望する複合機を選定して、印刷出力を行っているが、通常利用している複合機であれば、複合機の設置されている位置が特定しやすく、印刷指示後、その複合機に向かい、出力物を取得することが容易である。
【００２９】
しかし、例えば、携帯端末を用いて、自分の座席からフロアー内を移動して、通常利用していない複合機へ印刷指示を行いたい場合、その出力先の複合機の情報、例えば、複合機のＩＰアドレス等の情報を容易に特定することが難しいこともある。
【００３０】
また、複合機において文書をスキャンして得られたデータを、別の複合機で印刷するような、いわゆる重連印刷を行うにあたっても、スキャンを行った複合機に対して北西側に位置する複合機に、印刷指示を行うような場合、その印刷を行う複合機のＩＰアドレス等の複合機の情報を特定することも難しい。
【００３１】
したがって、このような問題に対処するためには、極力、印刷指示を行う側で、印刷を行う複合機に関する情報を、より簡易な方法で検索することが好ましく、本発明では、携帯端末や複合機などの情報処理装置の表示部に対して、指などでタッチして支持した操作方向に位置する複合機を検索することを実現している。
図２は、本発明の実施形態に係る印刷システムの概略の構成を示す構成図である。
【００３２】
印刷システム１００は、ユーザが印刷支持やフロアーに配置された複合機に関する情報を検索するためのモバイル端末１０１、印刷、ＦＡＸ、コピー、スキャナなどの多機能を備えた複合機１０２、モバイル端末１０１や複合機１０２の位置情報や複合機１０２の使用状況などの情報を管理するサーバ１０３、ユーザが複合機１０２に対する印刷指示等を行うためのＰＣ端末１０４を備えている。
【００３３】
複合機１０２、サーバ１０３、及びＰＣ端末１０４は、ネットワーク１０５を介して接続されており、モバイル端末１０１に関しては、複合機１０２、及びサーバ１０３と、各機器が内蔵した無線ＬＡＮユニットによって、無線ＬＡＮを介して、モバイル端末１０１と相互にデータの送受信を行う。
【００３４】
また、モバイル端末に限らず、各機器と通信可能な情報処理装置であればよく、また、複合機のような多機能に富まずに、印刷機能を備えた印刷装置であっても良いことは、言うまでもない。
【００３５】
次に、図３は、モバイル端末１０１のハードウェアの概略の構成を示す構成図である。
【００３６】
モバイル端末１０１は、マイク２０１、音声処理部２０２、データ変換部２０３、ＣＰＵ２０４、記憶部２０５、送受信部２０６、表示出力部２０７、キー操作部２０８、アンテナ２０９、スピーカ２１０、及びセンサー２１１を含んで構成される。
【００３７】
ユーザが所持しているモバイル端末１０１を用いて、相手方が所持しているモバイル端末１０１へ音声を送信する経路としては、ユーザによって言葉等の発せられた音声をマイク２０１から取得して、音声処理部２０２にて音声を音声信号として変換した後、音声処理部２０２は、音声信号をデータ変換部２０３へ出力する。
【００３８】
データ変換部２０３は、入力された音声信号を音声データへ変換して、ＣＰＵ２０４へ出力する。
【００３９】
ＣＰＵ２０４は、入力された音声データを送受信部２０６へ出力する。そして、送受信部２０６は、入力された音声データを音声信号に変換後、アンテナ２０９へ出力することで、相手方が所持しているモバイル端末１０１との通話が行われる。
【００４０】
一方、相手方が所持しているモバイル端末１０１から、ユーザが所持しているモバイル端末１０１において音声を受信する経路としては、アンテナ２０９が、相手方が所持しているモバイル端末１０１から送信された音声信号を受信し、受信した音声信号を送受信部２０６へ出力する。
【００４１】
送受信部２０６は、入力された音声信号を音声データへ変換して、ＣＰＵ２０４へ出力し、ＣＰＵ２０４は、音声データをデータ変換部２０３へ出力し、データ変換部２０３は、入力された音声データを音声信号に変換する。
【００４２】
そして、データ変換部２０３は、音声信号を音声処理部２０２に出力し、音声処理部２０２は、入力された音声信号をスピーカ２１０へ出力し、スピーカ２１０は、入力された音声信号を出力することで、相手方のモバイル端末１０１からの音声を受け取ることが可能となる。
【００４３】
表示出力部２０７は、ＣＰＵ２０４が記憶部２０５に記憶されたプログラムを実行する結果として表示出力する機能を備えており、本実施形態では、フロアーに配置された複合機の検索・印刷指示を行う画面等が表示される。
【００４４】
この表示出力部２０７に表示出力された画面等に対して、キー操作部２０８を介して入力がなされると行われると、ＣＰＵ２０４は、キー操作の内容に応じて（例えば、その画面等に対する位置等を検知して）、該当するプログラムを実行する。尚、キー操作部２０８としては、ハードウェアキーボードやソフトウェアキーボード等が例としてあげられる。
【００４５】
このようなプログラムを実行することによって、複合機を検索する指示や印刷指示に関する情報等が送受信部２０６を介して、複合機１０２やサーバ１０３に対して送信され、その処理結果を各機器から送受信部２０６を介して受信している。
【００４６】
２１２は受信機コントローラで、ＧＰＳ受信機２１３の入力を制御する。ＧＰＳ受信機２１３は、ＧＰＳアンテナを介して、複数のＧＰＳ衛星から受信する電波に基づいて、現在位置の緯度、経度、及び高度等の位置情報と現在時刻とを定期的に算出する。
次に、図４は、複合機１０２のハードウェアの概略構成を示す構成図である。
【００４７】
３１６はコントローラユニットで、画像入力デバイスとして機能するスキャナ部３１４や、画像出力デバイスとして機能するプリンタ部３１２と接続する一方、ＬＡＮ（例えば、図１に示したＬＡＮ１０５、無線ＬＡＮ）や公衆回線（ＷＡＮ）（例えば、ＰＳＴＮまたはＩＳＤＮ等）と接続することで、画像データやデバイス情報の入出力を行う。
【００４８】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００４９】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００５０】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００５１】
３０５はネットワークインタフェース（Ｎｅｔｗｏｒｋ  Ｉ／Ｆ）で、ネットワーク（ＬＡＮ１０５）に接続する。また、無線通信も可能な構成となっており、赤外線やＢｌｕｅｔｏｏｔｈ（登録商標）、Ｗｉ-Ｆｉ（登録商標）を用いた通信にて他の装置と接続する。そして、接続した各機器とデータの入出力を行う。３０６はモデム（ＭＯＤＥＭ）で、公衆回線に接続し、ＦＡＸの送受信等のデータの入出力を行う。
【００５２】
３１８は外部インタフェース（外部Ｉ／Ｆ）で、ＵＳＢ、ＩＥＥＥ１３９４、プリンタポート、ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ部３１８に接続されている。
【００５３】
そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００５４】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００５５】
画像バス３１５は、ＰＣＩバスまたはＩＥＥＥ１３９４で構成される。画像バス３１５上には以下のデバイスが配置される。
【００５６】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００５７】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００５８】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置を使用するユーザが操作部３０８から読み取り起動指示することにより、ＣＰＵ３０１がスキャナ３１４に指示を与え、フィーダは原稿用紙を１枚ずつフィードし原稿画像の読み取り動作を行う。
【００５９】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。
【００６０】
プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００６１】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。
【００６２】
また、操作部３０８は、各種操作キーとして、例えば、スタートキー、ストップキー、ＩＤキー、リセットキー等を備える。
【００６３】
尚、操作部３０８は、プリンタによって表示性能が異なり、タッチパネルを介して操作をできるプリンタ、単に液晶画面を備え文字列を表示（印刷状態や印刷している文書名の表示）させるだけのプリンタによって構成されている。
【００６４】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。
【００６５】
また、操作部３０８のストップキーは、稼働中の動作を止める働きをする。また、操作部３０８のＩＤキーは、ユーザのユーザＩＤを入力する時に用いる。リセットキーは、操作部３０８からの設定を初期化する時に用いる。
【００６６】
カードリーダ３１９は、ＣＰＵ３０１からの制御により、ＩＣカード（ＩＣチップとしてモバイル端末１０１内に備えられていてもよい）に記憶されている情報を読み取り、該読み取った情報を外部Ｉ／Ｆ３１８を介してＣＰＵ３０１へ通知する。
【００６７】
また、カードリーダ３１９はＮＦＣの通信規格に対応しており、ＩＣカードや携帯端末のＩＣチップへの読み書きを行うことが可能な構成となっている。なお、ＮＦＣ規格対応のカードリーダに、ＮＦＣ規格対応のモバイル端末１０１をかざすと、認証を行い、モバイル端末１０１と複合機１０２とのペアリングを行う。
【００６８】
そして、かざされたモバイル端末１０１と複合機１０２で通信（Ｐ２Ｐ）を確立してデータの通信を行うことが可能である。その他、高速通信規格である、Ｂｌｕｅｔｏｏｔｈ（登録商標）やＷｉ-Ｆｉ（登録商標）に通信を引き継ぎ（ハンドオーバー）、モバイル端末１０１と複合機１０２間で通信を行わせることも可能である。例えば、モバイル端末１０１をカードリーダにかざすことで、モバイル端末１０１に記憶されている画像を複合機１０２へ送信することが可能となる。なお、ＮＦＣの通信規格の詳細は、従来技術であるため、説明を省略するものとする。
【００６９】
上述した複合機１０２では、複合機１０２を制御するためのプラットフォームが存在し、このプラットフォーム上で、認証サーバと通信するための認証アプリケーションが動作している。
【００７０】
認証アプリケーションはＨＤＤ３０４に記憶されている。プラットフォームが管理する、ログイン時にユーザ情報を格納するログインコンテキストや、各種設定情報は、ＨＤＤ３０４上に領域が確保されている。
【００７１】
また、プラットフォーム上には、複合機１０２の本体機能を拡張したアプリケーションがインストールされ、動作している。これらアプリケーションは、プラットフォームのＡＰＩを用いて実行される。
【００７２】
このプラットフォームを介して、複合機１０２の各機能を制御することが可能な構成となっている。
【００７３】
また、複合機１０２には、Ｗｅｂブラウザも記憶されており、Ｗｅｂシステムと連携することも可能である。この場合、Ｗｅｂアプリケーションサーバから受信した画面をＷｅｂブラウザを用いて表示する。
【００７４】
Ｗｅｂブラウザ上で指示した命令は、Ｗｅｂアプリケーションサーバへ要求がなされ、Ｗｅｂアプリケーションサーバからの命令を受け付けることによって、プリンタ３００により動作（スキャンやプリント処理）を実行することが可能である。
【００７５】
以上のような構成によって、複合機１０２は、スキャナ３１４から読み込んだ画像データをＬＡＮ１０５上に送信したり、ＬＡＮ１０５や無線ＬＡＮから受信した印刷データをプリンタ部３１２により印刷出力することができる。
【００７６】
また、スキャナ３１４から読み込んだ画像データをモデム３０６により、公衆回線上にＦＡＸ送信したり、公衆回線からＦＡＸ受信した画像データをプリンタ部３１２により出力することできる。
【００７７】
３２１は受信機コントローラで、ＧＰＳ受信機３２２の入力を制御する。ＧＰＳ受信機３２２は、ＧＰＳアンテナを介して、複数のＧＰＳ衛星から受信する電波に基づいて、現在位置の緯度、経度、及び高度等の位置情報と現在時刻とを定期的に算出する。
【００７８】
尚、認証サーバやＷｅｂアプリケーションサーバの機能は、サーバ１０３に搭載する構成を備えることも可能であり、サーバ１０３は、機能ごとにそれぞれ準備する構成を備えても良いし、１台で構成することも可能である。
【００７９】
図５では、ＰＣ端末、サーバのハードウェアの概略の構成を示す構成図である。
４０１はＣＰＵで、システムバス４０４に接続される各デバイスやコントローラを統括的に制御する。
【００８０】
また、ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００８１】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１からＲＡＭ４０３にロードして、該ロードしたプログラムを実行することで各種動作を実現するものである。
【００８２】
また、４０５は入力コントローラで、キーボード（ＫＢ）４０９や不図示のマウス等のポインティングデバイス等からの入力を制御する。４０６はビデオコントローラで、ＣＲＴディスプレイ（ＣＲＴ）４１０等の表示器への表示を制御する。
【００８３】
なお、図５では、ＣＲＴ４１０と記載しているが、表示器はＣＲＴだけでなく、液晶ディスプレイ等の他の表示器であってもよい。これらは必要に応じて管理者が使用するものである。
【００８４】
４０７はメモリコントローラで、ブートプログラム、各種のアプリケーション、フォントデータ、ユーザファイル、編集ファイル、各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００８５】
４０８は通信Ｉ／Ｆコントローラで、ネットワーク（例えば、図１に示したＬＡＮ１０５）を介して外部機器と接続・通信するものであり、ネットワークでの通信制御処理を実行する。例えば、ＴＣＰ／ＩＰを用いた通信等が可能である。
【００８６】
なお、ＣＰＵ４０１は、例えばＲＡＭ４０３内の表示情報用領域へアウトラインフォントの展開（ラスタライズ）処理を実行することにより、ＣＲＴ４１０上での表示を可能としている。また、ＣＰＵ４０１は、ＣＲＴ４１０上の不図示のマウスカーソル等でのユーザ指示を可能とする。
【００８７】
本発明を実現するための後述する各種プログラムは、外部メモリ４１１に記録されており、必要に応じてＲＡＭ４０３にロードされることによりＣＰＵ４０１によって実行されるものである。さらに、上記プログラムの実行時に用いられる定義ファイル及び各種情報テーブル等も、外部メモリ４１１に格納されており、これらについての詳細な説明も後述する。
【００８８】
４１２は受信機コントローラで、ＧＰＳ受信機４１３の入力を制御する。ＧＰＳ受信機４１３は、ＧＰＳアンテナを介して、複数のＧＰＳ衛星から受信する電波に基づいて、現在位置の緯度、経度、及び高度等の位置情報と現在時刻とを定期的に算出する。
[第１の実施形態]
【００８９】
第１の実施形態では、モバイル端末１０１を用いて、フロアーに配置された複合機１０２に関する情報を検索する形態について説明する。
【００９０】
図６は、モバイル端末１０１を用いて複合機１０２を検索し、その検索結果を用いて印刷する複合機１０２を選定して、印刷処理を行う処理の流れを示すフローチャートである。
【００９１】
ステップＳ１００では、モバイル端末１０１において、表示出力部２０７に捜索範囲指定アプリケーションを起動して表示する。この捜索範囲指定アプリケーションは、表示出力部２０７に予め表示されたショートカットを指などでタッチしたり、表示されたメニューから、同じくタッチ操作によって選択することで起動する。
【００９２】
図７に示すように捜索範囲指定アプリケーションは、複合機１０２が配置されたフロアーを特定するためのアプリケーションであり、現在、自分が居るフロアーに限らず、上下階のフロアーも検索対象とすることが可能である。自分がどのフロアーに居するかは、モバイル端末１０１が備えたＧＰＳ機能を用いて取得することが可能であるが、この点については、従来技術を適用するため、説明は省略する。
【００９３】
ステップＳ１０２では、モバイル端末１０１において、捜索範囲指定アプリケーションの起動に伴い、捜索範囲指定画面５００を表示出力部２０７に表示する。
【００９４】
捜索範囲指定画面５００は、例えば、ユーザによって当該画面に対して行われるピンチイン（２本の指で表示出力部２０７をつまむように動かし、画面を縮小させる操作）、ピンチアウト（２本の指で表示出力部２０７をつまむように動かし、画面を拡大させる操作）の各操作によって、検索対象とするフロアーを指定することが可能である。
【００９５】
また、操作例として、ピンチアウト操作を行った際の２本の指の距離に応じて、捜索範囲、つまりフロアーを選定することが可能である。
【００９６】
具体的には、現在、ユーザが居するフロアーが２６Ｆである場合、当該距離が、１ｃｍであれば、現在、ユーザが居するフロアーの上下１階、つまり２５Ｆ、２７Ｆを選定することが可能である。
【００９７】
また、現在、ユーザが居するフロアーが２６Ｆである場合、当該距離が、２ｃｍであれば、現在、ユーザが居するフロアーの上下１、２階、つまり２４Ｆ、２５Ｆ、２７Ｆ、２８Ｆを選定することが可能である。
【００９８】
尚、図８には、±１フロアーと表示しているが、このような表示形態に限らず、現在、ユーザが居るフロアーが２６Ｆであれば、現在のフロアーが２６Ｆであることを識別表示して、２５Ｆ、２７Ｆを合わせて表示しても良い（フロアー選択ボタン５０１）。
【００９９】
また、ユーザは、このような各階を選択するためのフロアー選択ボタン５０１を、指などで少なくとも１以上のフロアーをタッチすることで、検索対象とするフロアーを選定することが可能である。
【０１００】
ステップＳ１０３では、モバイル端末１０１において、ユーザによって、捜索範囲指定画面５００に対して、フロアーが確定された指示がなされたか否かを判定し、確定されたと判定した場合、捜索範囲が、現在、ユーザが居するフロアーであるか、あるいは、ユーザが居するフロアーとは異なる他のフロアーであるかの判定を行う。
【０１０１】
現在、ユーザが居するフロアーを捜索範囲とすると判定した場合、ステップＳ１０４へ処理を進め、他のフロアーを捜索範囲とすると判定した場合、ステップＳ１０６へ処理を進める。
【０１０２】
本ステップにおいて、フロアーが確定された指示の操作例としては、ユーザが、捜索範囲指定画面５００に対して、指で行うタップ操作（叩く操作）や、確定ボタン（不図示）に対して、指でタッチする操作等があげられる。
【０１０３】
また、捜索範囲は、前述したように、捜索範囲指定画面５００に対してなされたピンチイン、ピンチアウト操作によって選定されるフロアーやフロアー選択ボタン５０１によって選択されたフロアーを意味しており、このフロアーと、現在、ユーザが居するフロアーとを比較することによって、現在、ユーザが居するフロアーであるか、あるいは、ユーザが居するフロアーとは異なる他のフロアーであるかの判定を行う。
【０１０４】
尚、他のフロアーには、他のフロアーを含むことを示しており、捜索範囲として、ユーザが居するフロアーと、ユーザが居するフロアーとは異なる他のフロアーを範囲としている。
【０１０５】
ステップＳ１０６では、モバイル端末１０１において、捜索範囲を受け付けるが、本ステップでは、ステップＳ１０２において選定されたフロアーを受け付ける。
【０１０６】
ステップＳ１０８では、モバイル端末１０１において、表示出力部２０７へ方角指定画面６００を表示する。
【０１０７】
図９には、方角指定画面６００が示されるが、方角指定画面６００は、ユーザが方角指定画面６００に対する操作方向に位置する複合機１０２を検索することが可能な画面である。
【０１０８】
操作方向の特定の方法として、例えば、図９に示すように、操作方向を４分割して４方向とし、ユーザが、その４方向のうち１つの方向を指でタッチすることで選択することが可能であり、あるいは、方角指定画面６００の任意位置におけるフリック操作の開始位置に基づく操作方向によって、この４分割された方向から１つの方向を選定しても良い。
【０１０９】
尚、分割する数については、４つに分割することに限らず、多く分割することも少なく分割することも可能である。
【０１１０】
あるいは、操作方向を分割せずに、方角指定画面６００の任意位置におけるフリック操作の開始位置を基準として、その基準位置からの操作方向を直線と見立て、当該直線に対する所定の角度を、操作方向として選定しても良い。
【０１１１】
ステップＳ１１０では、モバイル端末１０１において、各フロアーにおける操作方向に配置された複合機１０２の情報をサーバ１０３へ要求し、ステップＳ１１２では、サーバ１０３において、ステップＳ１１０でモバイル端末１０１からの要求に応じて、複合機１０２に関する情報を取得する。
【０１１２】
複合機１０２に関する情報としては、図１３に示す複合機情報テーブルに記憶されており、複合機情報テーブルは、サーバ１０３の外部メモリ４１１に備えられている。
【０１１３】
複合機情報テーブルは、複合機１０２を一意に識別するための複合機ＩＤ、複合機の名称を示す複合機名、複合機１０２と通信可能なように他の複合機を判別するためのＩＰアドレス等の接続情報、複合機１０２が設置されているフロアー、複合機１０２が配置された位置を示す緯度、経度、各複合機１０２の使用状況に関する情報を記憶している。
【０１１４】
尚、この情報は、管理者などによって予め設定されて記憶しておくことが可能であり、緯度、経度に関する情報は、各複合機１０２に備えたＧＰＳ受信機３２２によって得られたＧＰＳ情報を用いることが可能であり、定期的に、あるいは、適宜、各複合機１０２のＧＰＳ情報を取得して、複合機情報テーブルを更新しても良い。
【０１１５】
本ステップでは、この複合機情報テーブルから、ステップＳ１０２において選定した捜索範囲の各フロアーに関して、ステップＳ１０８で選定した操作方向に位置する複合機１０２に関する情報取得する。
【０１１６】
この取得方法としては、モバイル端末１０１は、ＧＰＳ受信機２１３によって、自身のＧＰＳ情報を取得しており、このＧＰＳ情報から、自身の位置を特定することが可能である。
【０１１７】
このＧＰＳ情報の一例を図１３に示す。ＧＰＳ情報は、モバイル端末１０１においてＧＰＳ情報を取得した位置、つまり、現在位置を取得した時刻を示す測位時刻、モバイル端末１０１によってＧＰＳ情報が正常に取得できたか否かを示すステータス、ＧＰＳ情報から特定されるモバイル端末１０１の位置を示す緯度、経度、モバイル端末１０１の移動方向を示す進行角度、測位した日付などを含む構成を備えている。
【０１１８】
このモバイル端末１０１のＧＰＳ情報の緯度、経度から、各複合機１０２の緯度、経度より、既存技術を適用することで、モバイル端末１０１と各複合機１０２との角度が求まる。
【０１１９】
このそれぞれ求めた角度が、ステップＳ１０８で指定した操作方向から特定される角度の範囲内にある複合機１０２が検索対象となる複合機１０２である。
【０１２０】
操作方向に対する角度としては、操作方向を分割した場合、例えば、前述したように、モバイル端末１０１を中心にした操作方向（３６０°）を４分割し、選択した操作方向に含まれる範囲、つまり、モバイル端末１０１の東向きを基準（０°）として、反円形方向に、３１５°から４５°、４５°から１３５°、１３５°から２２５°、２２５°から３１５°と分割することが可能である。
【０１２１】
このモバイル端末１０１と複合機１０２との緯度、経度の情報を用いて、モバイル端末１０１の東向きを基準として、両機器間の角度を算出し、この算出した角度が、４分割されたうちの選択された操作方向の角度の範囲内であるか否かによって判定を行う。
【０１２２】
ステップＳ１０８では、操作方向を１方向に限らず、複数の操作方向を選定することも可能である。
【０１２３】
また、別例として、操作方向を分割せずに、方角指定画面６００の任意位置におけるフリック操作の開始位置を基準として、その基準位置からの操作方向を直線と見立て、当該直線に対する所定の角度を、操作方向として選定する場合、この直線と、モバイル端末１０１と東向きの直線との角度を算出し、この角度、あるいはこの角度に対する所定範囲の角度と、このモバイル端末１０１と複合機１０２との緯度、経度の情報を用いて、モバイル端末１０１の東向きを基準とし、両機器間の角度を算出して得られた当該角度と、を用いて、一致する、あるいは、含まれるか否かを判定する。
【０１２４】
また、本ステップでは、ステップＳ１０２で選定した捜索範囲となるフロアーの情報が複合機情報テーブルのフロアーの情報と一致するものが対象となる。尚、複合機情報テーブルのフロアーの情報は、北、南といった情報を含めているが、このような方位を検索条件とせず、階が一致する情報を取得する。
【０１２５】
ステップＳ１１４では、サーバ１０３において、ステップＳ１１２で取得した複合機１０２に関する情報を要求元のモバイル端末１０１へ送信し、ステップＳ１１６では、モバイル端末１０１において、ステップＳ１１４で送信された複合機１０２に関する情報を受信する。
【０１２６】
ステップＳ１１６では、モバイル端末１０１において、操作方向に対して、複合機１０２が存在するか否かを判定し、存在すると判定した場合、ステップＳ１２０へ処理を進め、存在すると判定しない場合、ステップＳ１２２へ処理を進める、
【０１２７】
操作方向に対して、複合機１０２が存在するか否かの判定は、ステップＳ１１６において受信した複合機１０２に関する情報が、存在しなければ、ステップＳ１２０へ処理を進め、存在すると判定しなければ、ステップＳ１２２へ処理を進める。
【０１２８】
ステップＳ１２０では、モバイル端末１０１において、操作方向に対して複合機１０２が存在しなかったとして、その旨を、方角指定画面６００に表示する。
【０１２９】
図１１に示すように、ステップＳ１０８において、４分割された操作方向のうち、上方向６０２が選択され、その操作方向に複合機１０２が存在しないと判定した場合、上方向６０２をグレーアウトし、他の選択を行っていない右方向６０４、下方向６０６、及び左方向６０８に対して、識別表示する。
【０１３０】
そして、ステップＳ１２０の処理を終えると、再度、ステップＳ１０８へ処理を進め、方角指定画面６００を用いて、複合機１０２の検索を行う。
【０１３１】
但し、本ステップにおいて、全ての操作方向に対して、複合機１０２が存在しない場合は、図１２に示すように、方角指定画面６００において、複合機１０２が存在しない旨をユーザへ提示した後、ステップＳ１０２へ処理を進め、捜索範囲の指定から、再度、検索のし直しを行う。
【０１３２】
ステップＳ１２２では、モバイル端末１０１において、表示出力部２０７に検索結果画面７００を表示し、ステップＳ１１６で受信した複合機１０２に関する情報を、当該検索結果画面７００へ表示する。
【０１３３】
図１０には、検索結果画面７００の構成が示されており、検索結果画面７００は、検索して得られた複合機１０２に関する情報を印刷対象複合機情報として表示されており、複合機１０２が配置されたフロアー、複合機１０２の名称、複合機１０２の使用状況を参照することが可能である。
【０１３４】
複合機１０２の使用状況については、原則、ステップＳ１１６で受信した複合機１０２に関する情報に含まれる使用状況を用いて表示を行うが、モバイル端末１０１では、複合機１０２に対して印刷指示を行う際に、当該複合機１０２と通信を行うために必要とするＩＰアドレス等の接続情報を設定していないケースが生じ得る。
【０１３５】
特に、通常利用していないような複合機１０２に対して、印刷指示を行う場合には、このようなケースが顕著に生じることがあり、印刷を行うために必要となる接続情報等の設定情報を設定する必要がある。
【０１３６】
そこで、検索結果画面７００では、設定情報を設定する必要がある複合機１０２と、すでに設定情報が設定されている、つまり印刷可能な複合機１０２とを識別表示しており、図１０に示すように、設定情報の設定が必要な複合機１０２に関しては、リモート設定がされていません、といったようなメッセージを表示することが可能である。
【０１３７】
このように設定情報が設定されているか否かを判定する方法として、図１３に示す複合機設定情報テーブルに、設定済みの複合機１０２に関する情報を記憶しておくことで、判定することが可能である。
【０１３８】
複合機設定情報テーブルは、モバイル端末１０１の記憶部２０５に備えられ、複合機１０２を一意に識別するための複合機ＩＤ、複合機１０２の名称を示す複合機名、複合機１０２と通信可能なように他の複合機を判別するためのＩＰアドレス等の接続情報、及び複合機１０２が設置されているフロアーなどの情報が含まれている。
【０１３９】
モバイル端末１０１において、各複合機に関するこれらの設定情報を設定する度に、この複合機設定情報テーブルが更新され、複合機設定情報テーブルに複合機１０２に関する設定情報が記憶されていれば、印刷可能な複合機１０２と判定され、設定情報が記憶されていなければ、設定情報の設定が必要な複合機１０２として判定される。
【０１４０】
つまり、本ステップでは、ステップＳ１１６において受信した複合機１０２に関する情報に含まれる複合機ＩＤが、複合機設定情報テーブルの設定情報の複合機ＩＤと一致するものが存在すれば、受信した複合機１０２に関する情報に含まれる使用状況を表示し、一致するものが存在しなければ、リモート設定がされていません、といったようなメッセージを表示する。
【０１４１】
ステップＳ１２４では、モバイル端末１０１において、検索結果画面７００に表示された印刷対象複合機情報から複合機１０２が選択されたか否かを判定し、複合機１０２が選択されたと判定した場合、ステップＳ１２６へ処理を進める。
【０１４２】
ステップＳ１２６では、モバイル端末１０１において、ステップＳ１２４で選択された複合機１０２に関して、既に設定情報を設定した複合機１０２であるか、設定情報の設定が必要な複合機１０２であるかを判定し、既に設定情報を設定した複合機１０２であると判定した場合、ステップＳ１２８へ処理を進め、設定情報の設定が必要な複合機１０２であると判定した場合、ステップＳ１３２へ処理を進める。
【０１４３】
ステップＳ１２８では、モバイル端末１０１において、ステップＳ１２４で選択した複合機１０２に対して、印刷を所望するデータに関して印刷指示を行い、ステップＳ１３０では、複合機１０２において、ステップＳ１２８でなされた印刷指示に応じて、印刷を開始する。
【０１４４】
ステップＳ１３２では、モバイル端末１０１において、設定情報を必要とする複合機１０２に関して、当該設定情報を登録するための設定画面８００を表示出力部２０７へ表示して、設定を行うか否かを判定する。
【０１４５】
図１４に示す設定画面８００は、検索結果画面７００において、設定情報の設定を必要とする複合機１０２が選択された際に、選択された複合機１０２に関する情報を表示し、ユーザは、この表示された情報から、実際に、設定情報を設定する複合機１０２を選択した後、設定ボタン８０２を押下することで、モバイル端末１０１に対して、設定を行うことが可能である。
【０１４６】
尚、検索結果画面７００において複数の複合機１０２が選択された場合は、選択された複合機１０２の数だけ、設定画面８００に、複合機１０２に関する情報を表示し、設定画面８００に表示された複合機１０２に関する情報から、設定を行いたい複合機１０２を選択して、設定ボタン８０２を押下することも可能である。
【０１４７】
本ステップでは、設定ボタン８０２が押下されたと判定した場合、ステップＳ１３４へ処理を進め、閉じるボタン８０４が押下されたと判定した場合、ステップＳ１２２へ処理を進める。
【０１４８】
ステップＳ１３４では、モバイル端末１０１において、ステップＳ１３２で選択された複合機１０２に関しての設定情報を用いて、モバイル端末１０１に対して設定を行い、設定が完了すると、前述した複合機設定情報テーブルにも、設定した複合機１０２に関する情報を記憶する。
【０１４９】
ステップＳ１３４において設定が完了すると、ステップＳ１２２において、検索結果画面７００の印刷対象複合機情報のうち、設定を行った複合機１０２の状況を、リモート設定されていません、の文言を変更し、ステップＳ１１６で受信した複合機１０２に関する情報に含まれる使用状況を表示する。
【０１５０】
[第２の実施形態]
次に第２の実施形態に関して説明を行うが、第１の実施形態では、モバイル端末から複合機を検索する態様を説明したが、第２の実施形態では、複合機から、別の複合機を検索する態様を説明する。
【０１５１】
尚、基本的な構成は、第１の実施形態と同様な構成を備えるため、説明は省略し、必要であれば、同一符号を用いて説明を行う。
また、第２の実施形態では、重連コピーを行うことを前提として説明を行う。
【０１５２】
図６は、複合機１０２を用いて、他の複合機１０２を検索し、その検索結果を用いて印刷する複合機１０２を選定して、印刷処理を行う処理の流れを示すフローチャートである。
【０１５３】
まず、ユーザは、図１６に示す操作部３０８を用いて、重連コピーを行うモードの選択を行う。
図１６には、操作部３０８の構成を示す構成図が示されている。
【０１５４】
ＬＣＤ表示部９０１は、ＬＣＤ上にタッチパネルシートが貼られた構造となっており、複合機１０２の操作画面を表示するとともに、該画面に表示されたキーが押されるとその位置情報をコントローラユニット３１６のＣＰＵ３０１に伝える。
【０１５５】
スタートキー９０２は、原稿画像の読み取り動作を開始する時などに用いられる。スタートキー９０２の中央部には、緑と赤の２色ＬＥＤ９０６が設けられ、その色によってスタートキー９０２が使える状態にあるか否かを示す。
【０１５６】
ストップキー９０３は、稼働中の動作を止めるときに操作され、ＩＤキー９０４は、使用者のユーザＩＤを入力する時に用いられ、リセットキー９０５は、操作部３０８からの設定を初期化する時に用いられる。
【０１５７】
重連コピーのモードを選択するには、まず、図１７に示す複合機１０２で利用可能な機能を表示選択させるためのメニュー画面をＬＣＤ表示部９０１に表示しておき、このメニュー画面のその他の機能ボタンが押下されたことを検知すると、図１８に示すその他の機能選択画面をＬＣＤ表示部９０１に表示する。そして、その他の機能選択画面の重連コピーボタンを押下することで、重連コピーのモードを選択することが可能である。
【０１５８】
そして、ステップＳ２００では、複合機１０２において、操作部３０８に捜索範囲指定アプリケーションを起動して表示する。この捜索範囲指定アプリケーションは、ＬＣＤ表示部９０１に予め表示されたショートカットを指などでタッチしたり、表示されたメニューから、同じくタッチ操作によって選択することで起動する。
【０１５９】
捜索範囲指定アプリケーションは、複合機１０２が配置されたフロアーを特定するためのアプリケーションであり、現在、自分が居るフロアーに限らず、上下階のフロアーも検索対象とすることが可能である。自分がどのフロアーに居するかは、複合機１０２が備えたＧＰＳ機能を用いて取得することが可能であるが、この点については、従来技術を適用するため、説明は省略する。
【０１６０】
ステップＳ２０２では、複合機１０２において、捜索範囲指定アプリケーションの起動に伴い、捜索範囲指定画面１０００をＬＣＤ表示部９０１に表示する。
【０１６１】
捜索範囲指定画面１０００は、前述したように、例えば、ユーザによって当該画面に対して行われるピンチイン、ピンチアウトの各操作によって、検索対象とするフロアーを指定することが可能である。
【０１６２】
また、操作例として、ピンチアウト操作を行った際の２本の指の距離に応じて、捜索範囲、つまりフロアーを選定することが可能である。
【０１６３】
具体的には、現在、ユーザが居するフロアーが２６Ｆである場合、当該距離が、１ｃｍであれば、現在、ユーザが居するフロアーの上下１階、つまり２５Ｆ、２７Ｆを選定することが可能である。
【０１６４】
また、現在、ユーザが居するフロアーが２６Ｆである場合、当該距離が、２ｃｍであれば、現在、ユーザが居するフロアーの上下１、２階、つまり２４Ｆ、２５Ｆ、２７Ｆ、２８Ｆを選定することが可能である。
【０１６５】
尚、図１９には、±１フロアーと表示しているが、このような表示形態に限らず、現在、ユーザが居るフロアーが２６Ｆであれば、現在のフロアーが２６Ｆであることを識別表示して、２５Ｆ、２７Ｆを合わせて表示しても良い（フロアー選択ボタン１００１）。
【０１６６】
また、ユーザは、このような各階を選択するためのフロアー選択ボタン１００１を、指などで少なくとも１以上のフロアーをタッチすることで、検索対象とするフロアーを選定することが可能である。
【０１６７】
ステップＳ２０３では、複合機１０２において、ユーザによって、捜索範囲指定画面１０００に対して、フロアーが確定された指示がなされたか否かを判定し、確定されたと判定した場合、捜索範囲が、現在、ユーザが居するフロアーであるか、あるいは、ユーザが居するフロアーとは異なる他のフロアーであるかの判定を行う。
【０１６８】
現在、ユーザが居するフロアーを捜索範囲とすると判定した場合、ステップＳ２０４へ処理を進め、他のフロアーを捜索範囲とすると判定した場合、ステップＳ２０６へ処理を進める。
【０１６９】
本ステップにおいて、フロアーが確定された指示の操作例としては、ユーザが、捜索範囲指定画面１０００に対して、指で行うタップ操作（叩く操作）や、確定ボタン（不図示）に対して、指でタッチする操作等があげられる。
【０１７０】
また、捜索範囲は、前述したように、捜索範囲指定画面１０００に対してなされたピンチイン、ピンチアウト操作によって選定されるフロアーやフロアー選択ボタン１００１によって選択されたフロアーを意味しており、このフロアーと、現在、ユーザが居するフロアーとを比較することによって、現在、ユーザが居するフロアーであるか、あるいは、ユーザが居するフロアーとは異なる他のフロアーであるかの判定を行う。
【０１７１】
尚、他のフロアーには、他のフロアーを含むことを示しており、捜索範囲として、ユーザが居するフロアーと、ユーザが居するフロアーとは異なる他のフロアーを範囲としている。
【０１７２】
ステップＳ２０６では、複合機１０２において、捜索範囲を受け付けるが、本ステップでは、ステップＳ２０２において選定されたフロアーを受け付ける。
【０１７３】
ステップＳ２０８では、複合機１０２において、ＬＣＤ表示部９０１へ方角指定画面１１００を表示する。
【０１７４】
図２０には、方角指定画面１１００が示されるが、方角指定画面１１００は、ユーザが方角指定画面１１００に対する操作方向に位置する他の複合機１０２を検索することが可能な画面である。
【０１７５】
操作方向の特定の方法として、例えば、図２０に示すように、操作方向を４分割して４方向とし、ユーザが、その４方向のうち１つの方向を指でタッチすることで選択することが可能であり、あるいは、方角指定画面１１００の任意位置におけるフリック操作の開始位置に基づく操作方向によって、この４分割された方向から１つの方向を選定しても良い。
【０１７６】
尚、分割する数については、４つに分割することに限らず、多く分割することも少なく分割することも可能である。
【０１７７】
あるいは、操作方向を分割せずに、方角指定画面１１００の任意位置におけるフリック操作の開始位置を基準として、その基準位置からの操作方向を直線と見立て、当該直線に対する所定の角度を、操作方向として選定しても良い。
【０１７８】
ステップＳ２１０では、複合機１０２において、各フロアーにおける操作方向に配置された他の複合機１０２の情報をサーバ１０３へ要求し、ステップＳ２１２では、サーバ１０３において、ステップＳ２１０で複合機１０２からの要求に応じて、他の複合機１０２に関する情報を取得する。
【０１７９】
複合機１０２に関する情報としては、図１３に示す複合機情報テーブルに記憶されており、複合機情報テーブルは、サーバ１０３の外部メモリ４１１に備えられている。
【０１８０】
複合機情報テーブルに関しては、第１の実施形態と同様な構成を備えるため説明は省略する。
【０１８１】
本ステップでは、この複合機情報テーブルから、ステップＳ２０２において選定した捜索範囲の各フロアーに関して、ステップＳ２０８で選定した操作方向に位置する他の複合機１０２に関する情報取得する。
【０１８２】
この取得方法としては、複合機１０２は、ＧＰＳ受信機２１３によって、自身のＧＰＳ情報を取得しており、このＧＰＳ情報から、自身の位置を特定することが可能である。
【０１８３】
このＧＰＳ情報の一例を図１３に示す。ＧＰＳ情報は、複合機１０２においてＧＰＳ情報を取得した位置、つまり、現在位置を取得した時刻を示す測位時刻、複合機１０２によってＧＰＳ情報が正常に取得できたか否かを示すステータス、ＧＰＳ情報から特定されるモバイル端末１０１の位置を示す緯度、経度、複合機１０２の移動方向を示す進行角度、測位した日付などを含む構成を備えている。
【０１８４】
この複合機１０２のＧＰＳ情報の緯度、経度から、各複合機１０２の緯度、経度より、既存技術を適用することで、複合機１０２と他の複合機１０２との角度が求まる。
【０１８５】
このそれぞれ求めた角度が、ステップＳ２０８で指定した操作方向から特定される角度の範囲内にある他の複合機１０２が検索対象となる複合機１０２である。
【０１８６】
操作方向に対する角度としては、操作方向を分割した場合、例えば、前述したように、複合機１０２を中心に操作方向（３６０°）を４分割し、選択した操作方向に含まれる範囲、つまり、複合機１０２の東向きを基準（０°）として、反円形方向に、３１５°から４５°、４５°から１３５°、１３５°から２２５°、２２５°から３１５°と分割することが可能である。
【０１８７】
この複合機１０２と他の複合機１０２との緯度、経度の情報を用いて、複合機１０２の東向きを基準として、両機器間の角度を算出し、この算出した角度が、４分割されたうちの選択された操作方向の角度の範囲内であるか否かによって判定を行う。
【０１８８】
ステップＳ２０８では、操作方向を１方向に限らず、複数の操作方向を選定することも可能である。
【０１８９】
また、別例として、操作方向を分割せずに、方角指定画面１１００の任意位置におけるフリック操作の開始位置を基準として、その基準位置からの操作方向を直線と見立て、当該直線に対する所定の角度を、操作方向として選定する場合、この直線と、複合機１０２と東向きの直線との角度を算出し、この角度、あるいはこの角度に対する所定範囲の角度と、この複合機１０２と他の複合機１０２との緯度、経度の情報を用いて、複合機１０２の東向きを基準とし、両機器間の角度を算出して得られた当該角度と、を用いて、一致する、あるいは、含まれるか否かを判定する。
【０１９０】
また、本ステップでは、ステップＳ２０２で選定した捜索範囲となるフロアーの情報が複合機情報テーブルのフロアーの情報と一致するものが対象となる。尚、複合機情報テーブルのフロアーの情報は、北、南といった情報を含めているが、このような方位を検索条件とせず、階が一致する情報を取得する。
【０１９１】
ステップＳ２１４では、サーバ１０３において、ステップＳ２１２で取得した他の複合機１０２に関する情報を要求元の複合機１０２へ送信し、ステップＳ２１６では、複合機１０２において、ステップＳ２１４で送信された他の複合機１０２に関する情報を受信する。
【０１９２】
ステップＳ２１６では、複合機１０２において、操作方向に対して、他の複合機１０２が存在するか否かを判定し、存在すると判定した場合、ステップＳ２２０へ処理を進め、存在すると判定しない場合、ステップＳ２２２へ処理を進める、
【０１９３】
操作方向に対して、他の複合機１０２が存在するか否かの判定は、ステップＳ２１６において受信した他の複合機１０２に関する情報が、存在しなければ、ステップＳ２２０へ処理を進め、存在すると判定しなければ、ステップＳ２２２へ処理を進める。
【０１９４】
ステップＳ２２０では、複合機１０２において、操作方向に対して他の複合機１０２が存在しなかったとして、その旨を、方角指定画面１１００に表示する。
【０１９５】
図２６に示すように、ステップＳ２０８において、４分割された操作方向のうち、上方向１１０２が選択され、その操作方向に他の複合機１０２が存在しないと判定した場合、上方向１１０２をグレーアウトし、他の選択を行っていない右方向１１０４、下方向１１０６、及び左方向１１０８に対して、識別表示する。
【０１９６】
そして、ステップＳ２２０の処理を終えると、再度、ステップＳ２０８へ処理を進め、方角指定画面１１００を用いて、他の複合機１０２の検索を行う。
【０１９７】
但し、本ステップにおいて、全ての操作方向に対して、他の複合機１０２が存在しない場合は、図２７に示すように、方角指定画面１１００において、他の複合機１０２が存在しない旨をユーザへ提示した後、ステップＳ２０２へ処理を進め、捜索範囲の指定から、再度、検索のし直しを行う。
【０１９８】
ステップＳ２２２では、複合機１０２において、ＬＣＤ表示部９０１に検索結果画面１２００を表示し、ステップＳ２１６で受信した他の複合機１０２に関する情報を、当該検索結果画面１２００へ表示する。
【０１９９】
図２１には、検索結果画面１２００の構成が示されており、検索結果画面１２００は、検索して得られた他の複合機１０２に関する情報を印刷対象複合機情報として表示されており、他の複合機１０２が配置されたフロアー、他の複合機１０２の名称、他の複合機１０２の使用状況を参照することが可能である。
【０２００】
複合機１０２の使用状況については、原則、ステップＳ２１６で受信した他の複合機１０２に関する情報に含まれる使用状況を用いて表示を行うが、複合機１０２では、他の複合機１０２に対して印刷指示を行う際に、当該他の複合機１０２と通信を行うために必要とするＩＰアドレス等の接続情報を設定していないケースが生じ得る。
【０２０１】
特に、通常利用していないような他の複合機１０２に対して、印刷指示を行う場合には、このようなケースが顕著に生じることがあり、印刷を行うために必要となる接続情報等の設定情報を設定する必要がある。
【０２０２】
そこで、検索結果画面１２００では、設定情報を設定する必要がある他の複合機１０２と、すでに設定情報が設定されている、つまり印刷可能な他の複合機１０２とを識別表示しており、図２１に示すように、設定情報の設定が必要な他の複合機１０２に関しては、リモート設定がされていません、といったようなメッセージを表示（あるいは、網掛け表示）をすることが可能である。
【０２０３】
このように設定情報が設定されているか否かを判定する方法として、図１３に示す複合機設定情報テーブルに、設定済みの他の複合機１０２に関する情報を記憶しておくことで、判定することが可能である。
【０２０４】
複合機設定情報テーブルは、複合機１０２のＨＤＤ３０４に備えられており、その情報については、第１の実施形態と同様のため、説明を省略する。
【０２０５】
複合機１０２において、各他の複合機１０２に関するこれらの設定情報を設定する度に、この複合機設定情報テーブルが更新され、複合機設定情報テーブルに他の複合機１０２に関する設定情報が記憶されていれば、印刷可能な他の複合機１０２と判定され、設定情報が記憶されていなければ、設定情報の設定が必要な他の複合機１０２として判定される。
【０２０６】
つまり、本ステップでは、ステップＳ２１６において受信した他の複合機１０２に関する情報に含まれる複合機ＩＤが、複合機設定情報テーブルの設定情報の複合機ＩＤと一致するものが存在すれば、受信した他の複合機１０２に関する情報に含まれる使用状況を表示し、一致するものが存在しなければ、リモート設定がされていません、といったようなメッセージを表示（あるいは、網掛け表示）する。
【０２０７】
ステップＳ２２４では、複合機１０２において、検索結果画面１２００に表示された印刷対象複合機情報から他の複合機１０２が選択されたか否かを判定し、他の複合機１０２が選択されたと判定した場合、ステップＳ２２６へ処理を進める。
【０２０８】
ステップＳ２２６では、複合機１０２において、ステップＳ２２４で選択されたほかの複合機１０２に関して、既に設定情報を設定した他の複合機１０２であるか、設定情報の設定が必要な他の複合機１０２であるかを判定し、既に設定情報を設定した他の複合機１０２であると判定した場合、ステップＳ２２８へ処理を進め、設定情報の設定が必要な他の複合機１０２であると判定した場合、ステップＳ２３２へ処理を進める。
【０２０９】
既に設定情報を設定した他の複合機１０２である場合の例として、図２２に示す検索結果画面１２００のように、リモート設定されていない、と表示されていない、つまり使用が可能な他の複合機１０２が選択された状態で、ＯＫボタン１２０２が押下された場合が上げられる。
【０２１０】
また、設定情報の設定が必要な他の複合機１０２である場合の例として、図２３に示す検索結果画面１２００のように、リモート設定されていない、と表示された、つまり使用が不可能な他の複合機１０２が選択された状態で、ＯＫボタン１２０２が押下された場合が上げられる。
【０２１１】
ステップＳ２２８では、複合機１０２において、ステップＳ２２４で選択した他の複合機１０２に対して、印刷を所望するデータに関して印刷指示を行い、ステップＳ２３０では、他の複合機１０２において、ステップＳ２２８でなされた印刷指示に応じて、印刷を開始する。
【０２１２】
ステップＳ２３２では、複合機１０２において、設定情報を必要とする他の複合機１０２に関して、当該設定情報を登録するための設定画面１３００をＬＣＤ表示部９０１へ表示して、設定を行うか否かを判定する。
【０２１３】
図２８に示す設定画面１３００は、検索結果画面１２００において、設定情報の設定を必要とする他の複合機１０２が選択された際に、選択された他の複合機１０２に関する情報を表示し、ユーザは、この表示された情報から、実際に、設定情報を設定する他の複合機１０２を選択した後、設定ボタン１３０４を押下することで、複合機１０２に対して、設定を行うことが可能である。
【０２１４】
尚、検索結果画面１２００において複数の他の複合機１０２が選択された場合は、選択された他の複合機１０２の数だけ、設定画面１３００に、他の複合機１０２に関する情報を表示し、設定画面１３００に表示された他の複合機１０２に関する情報から、設定を行いたい他の複合機１０２を選択して、設定ボタン１３０４を押下することも可能である。
【０２１５】
本ステップでは、設定ボタン１３０４が押下されたと判定した場合、ステップＳ２３４へ処理を進め、設定取消ボタン１３０２が押下されたと判定した場合、ステップＳ２２２へ処理を進める。
【０２１６】
ステップＳ２３４では、複合機１０２において、ステップＳ２３２で選択された他の複合機１０２に関しての設定情報を用いて、複合機１０２に対して設定を行い、設定が完了すると、前述した複合機設定情報テーブルにも、設定した他の複合機１０２に関する情報を記憶する。
【０２１７】
尚、設定情報を複合機１０２へ設定している間は、図２４に示す設定中である旨を示す設定中画面１４００をＬＣＤ表示部９０１へ表示し、設定が完了すると、当該画面を閉じる。
【０２１８】
ステップＳ２３４において設定が完了すると、ステップＳ２２２において、図２５に示すように、検索結果画面１２００の印刷対象複合機情報のうち、設定を行った複合機１０２の状況を、リモート設定されていません、の文言を変更し、ステップＳ２１６で受信した複合機１０２に関する情報に含まれる使用状況を表示する。
【０２１９】
尚、第１の実施形態、第２の実施形態ともに、方角指定画面を表示する際に、操作方向を分割するようなケースであれば、予め、分割単位ごとに、その操作方向に複合機が存在しない場合は、その操作方向をグレーアウトしておいても良い。
【０２２０】
つまり、ステップＳ１０８、２０８において、モバイル端末あるいは複合機において、複合機に関する情報をサーバから取得し、分割単位ごとに、その操作方向に複合機が存在しない場合、その操作方向をグレーアウトさせる態様をとり、以後、ユーザは、複合機の存在する操作方向から選定を行わせる態様でも良い。この場合、再度、サーバ１０３へ選定した操作方向に位置する複合機に関する情報を取得しても良いし、ステップＳ１０８、２０８で既に取得した複合機に関する情報を用いて、検索をかけても良い。
【０２２１】
以上、本発明によれば、ユーザに対して、印刷指示を行う機器の表示部に対する操作方向に設置された印刷装置を表示して選択させることで、ユーザが、印刷出力を所望する印刷装置を簡易な操作で選定できるので、ユーザの印刷出力にかかる作業負担を軽減することが可能となる。
【０２２２】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０２２３】
また、本発明は、サーバを備える構成を示したが、サーバを備えることなく、システムを構成することも可能である。この場合、モバイル端末と、各複合機に自身の複合機に関する情報（複合機情報テーブル）を備え、モバイル端末から検索をする際に、各複合機と直接通信を行い、この複合機に関する情報を取得しても良い。
【０２２４】
また、同様に、各複合機に自身の複合機に関する情報（複合機情報テーブル）を備え、複合機から他の複合機の検索をする際にも、各他の複合機と直接通信を行い、この他の複合機に関する情報を取得しても良い。
【０２２５】
さらに、接続情報としてＩＰアドレス等を取得する構成を記載したが、モバイル端末や複合機において、印刷出力先となるドライバーが導入されていないような場合、導入先のＵＲＬ等の情報をモバイル端末や複合機の設定画面に表示して、当該ドライバーを導入することを促しても良い。
【０２２６】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０２２７】
なお、本発明におけるプログラムは、各装置の処理方法ごとのプログラムであってもよい。
【０２２８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０２２９】
この場合、記録媒体から読み出されたプログラム自体が本発明の新規な機能を実現することになり、そのプログラムを記憶した記録媒体は本発明を構成することになる。
【０２３０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０２３１】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０２３２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２３３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。
【０２３４】
この場合、本発明を達成するためのプログラムを格納した記録媒体を該システムあるいは装置に読み出すことによって、そのシステムあるいは装置が、本発明の効果を享受することが可能となる。
【０２３５】
さらに、本発明を達成するためのプログラムをネットワーク上のサーバ、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０２３６】
１００    印刷システム
１０１    モバイル端末
１０２    複合機
１０３    サーバ
１０４    ＰＣ端末
１０５    ＬＡＮ
２０１    マイク
２０２    音声処理部
２０３    データ変換部
２０４    ＣＰＵ
２０５    記憶部
２０６    送受信部
２０７    表示出力部
２０８    キー操作部
２０９    アンテナ
２１０    スピーカー
２１１    センサ
２１２    受信機コントローラ
２１３    ＧＰＳ受信機
３０１    ＣＰＵ
３０２    ＲＡＭ
３０３    ＲＯＭ
３０４    ハードディスクドライブ
３０５    ネットワークインタフェース
３０６    モデム
３０７    操作部インタフェース
３０８    操作部
３０９    システムバス
３１０    ラスタイメージプロセッサ
３１１    プリンタインタフェース
３１２    プリンタ部
３１３    スキャナインタフェース
３１４    スキャナ部
３１５    画像バス
３１６    コントローラユニット
３１７    画像処理部
３１８    外部インタフェース
３１９    カードリーダ
３２０    イメージバスインタフェース
３２１    受信機コントローラ
３２２    ＧＰＳ受信機
４０１    ＣＰＵ
４０２    ＲＯＭ
４０３    ＲＡＭ
４０４    システムバス
４０５    入力コントローラ
４０６    ビデオコントローラ
４０７    メモリコントローラ
４０８    通信Ｉ／Ｆコントローラ
４０９    ＫＢ
４１０    ＣＲＴ
４１１    外部メモリ（ＨＤ／ＦＤ）
４１２    受信機コントローラ
４１３    ＧＰＳ受信機
【図１】
2015210798.tif 000003
【図２】
2015210798.tif 000004
【図３】
2015210798.tif 000005
【図４】
2015210798.tif 000006
【図５】
2015210798.tif 000007
【図６】
2015210798.tif 000008
【図７】
2015210798.tif 000009
【図８】
2015210798.tif 000010
【図９】
2015210798.tif 000011
【図１０】
2015210798.tif 000012
【図１１】
2015210798.tif 000013
【図１２】
2015210798.tif 000014
【図１３】
2015210798.tif 000015
【図１４】
2015210798.tif 000016
【図１５】
2015210798.tif 000017
【図１６】
2015210798.tif 000018
【図１７】
2015210798.tif 000019
【図１８】
2015210798.tif 000020
【図１９】
2015210798.tif 000021
【図２０】
2015210798.tif 000022
【図２１】
2015210798.tif 000023
【図２２】
2015210798.tif 000024
【図２３】
2015210798.tif 000025
【図２４】
2015210798.tif 000026
【図２５】
2015210798.tif 000027
【図２６】
2015210798.tif 000028
【図２７】
2015210798.tif 000029
【図２８】
2015210798.tif 000030